(57)【要約】【課題】画像表示装置において、他の画像表示装置に異常が発生した場合に現在表示中の画像とともに他の画像表示装置が表示していた画像を表示する。【解決手段】プロジェクターは、通信手段により他のプロジェクターの異常発生通知を受信すると（ステップＳ１０１）、モード設定手段は２画面表示モードに設定し（ステップＳ１０３）、プロジェクターが現在投写中の画像と、異常が発生したプロジェクターが投写していた画像とを２画面で画像投写する（ステップＳ１０４）。【選択図】図４
2014115363.tif 000002
【特許請求の範囲】
【請求項１】
画像入力端子より入力される画像信号に基づく画像を表示手段に表示する画像表示装置であって、
他の画像表示装置に異常が発生したことを検出する異常検出手段と、
前記画像入力端子より入力される前記画像信号に基づいた画像のうち、一つの画像を前記表示手段に表示する１画面表示モードと、異なる二つの画像を、前記表示手段に配置された第１表示領域、及び第２表示領域にそれぞれ表示する２画面表示モードとのいずれかを設定するモード設定手段と、
前記他の画像表示装置に異常が発生したことを検出した場合に、前記モード設定手段により前記２画面表示モードに設定する制御手段と、を備えた
ことを特徴とする、画像表示装置。
【請求項２】
請求項１に記載の画像表示装置において、
前記他の画像表示装置と通信を行う通信手段をさらに備え、
前記異常検出手段は、前記通信手段により前記他の画像表示装置より異常発生通知を受け付けた場合に、前記他の画像表示装置に異常が発生したことを検出する、
ことを特徴とする、画像表示装置。
【請求項３】
請求項１または２に記載の画像表示装置において、
前記画像入力端子に画像信号が入力されているか否かを検出する信号検出手段をさらに備え、
前記異常検出手段は、所定の画像入力端子に画像信号が入力された場合に、前記他の画像表示装置に異常が発生したことを検出する、
ことを特徴とする、画像表示装置。
【請求項４】
請求項１から３のいずれか一項に記載の画像表示装置において、
前記異常検出手段により、前記他の画像表示装置に異常が発生したことを検出した場合に報知する報知手段、
をさらに備えたことを特徴とする、画像表示装置。
【請求項５】
請求項１から４のいずれか一項に記載の画像表示装置において、
当該画像表示装置に異常が発生したことを検知する異常検知手段と、
前記他の画像表示装置に当該画像表示装置の異常を検出させる手段
をさらに備えたことを特徴とする、画像表示装置。
【請求項６】
請求項５に記載の画像表示装置において、
前記通信手段により前記他の画像表示装置に当該画像表示装置の異常を検出させる
ことを特徴とする、画像表示装置。
【請求項７】
請求項５に記載の画像表示装置において、
画像信号を出力する画像出力端子をさらに備え、
前記画像出力端子から当該画像表示装置が表示すべき画像を示す画像信号を前記他の画像表示装置に出力することにより、前記他の画像表示装置に当該画像表示装置の異常を検出させる
ことを特徴とする、画像表示装置。
【請求項８】
画像入力端子より入力される画像信号に基づく画像を表示する表示手段と、
前記画像入力端子より入力される前記画像信号に基づいた画像のうち、一つの画像を前記表示手段に表示する１画面表示モードと、異なる二つの画像を、前記表示手段に配置された第１表示領域、及び第２表示領域にそれぞれ表示する２画面表示モードとのいずれかを設定するモード設定手段とを備えた画像表示装置の制御方法であって、
他の画像表示装置に異常が発生したことを検出する異常検出ステップと、
前記異常検出ステップにより前記他の画像表示装置に異常が発生したことを検出した場合に、前記モード設定手段により前記２画面表示モードに設定する制御ステップと、を有することを特徴とする、画像表示装置の制御方法。
【発明の詳細な説明】
【技術分野】
【０００１】
本発明は、画像表示装置、および画像表示装置の制御方法に関する。
【背景技術】
【０００２】
画像を投写する画像表示装置（例えばプロジェクター）を２台使い、それぞれ異なる画像を表示することでデモンストレーションを行うことがある。このとき、どちらか１台の画像表示装置に異常が発生し画像の表示が不可能になると、デモンストレーションが成立しなくなる。
【０００３】
特許文献１には、プロジェクターがスクリーン装置に異常情報を送信し、スクリーン装置は異常情報を表示部に表示することで、ユーザーに異常を知らせるプロジェクターが開示されている。このようなプロジェクターによれば、プロジェクターの投写部に異常が発生して異常発生通知を投写画面で確認できない場合でも、スクリーン装置の表示部により、異常発生をユーザーが知ることができる。
【先行技術文献】
【特許文献】
【０００４】
【特許文献１】特開２０１１−３４０２８号公報
【発明の概要】
【発明が解決しようとする課題】
【０００５】
しかし、特許文献１のプロジェクターでは異常が発生したことをユーザーが知ることはできるものの、異常発生したプロジェクターを修理し、再度画像を投写できるようになるまで、デモンストレーションが中断されてしまうという問題は解決されなかった。
【課題を解決するための手段】
【０００６】
本発明は、上述の課題の少なくとも一部を解決するためになされたものであり、以下の形態または適用例として実現することが可能である。
【０００７】
［適用例１］本適用例に係る画像表示装置は、画像入力端子より入力される画像信号に基づく画像を表示手段に表示する画像表示装置であって、他の画像表示装置に異常が発生したことを検出する異常検出手段と、前記画像入力端子より入力される前記画像信号に基づいた画像のうち、一つの画像を前記表示手段に表示する１画面表示モードと、異なる二つの画像を、前記表示手段に配置された第１表示領域、及び第２表示領域にそれぞれ表示する２画面表示モードとのいずれかを設定するモード設定手段と、前記他の画像表示装置に異常が発生したことを検出した場合に、前記モード設定手段により前記２画面表示モードに設定する制御手段と、を備えたことを特徴とする。
【０００８】
本適用例によれば、他の画像表示装置に異常が発生したことを検出した場合にモード設定手段により２画面表示モードに設定されるため、例えば、２台の画像表示装置で異なる画像を表示するデモンストレーションを行っている場合、１台の画像表示装置に異常が発生して画像を表示できなくなったときにもう１台の画像表示装置により二つの画像を２画面表示モードで表示する。これによりデモンストレーションが中断してしまうのを防止することが可能となる。
【０００９】
［適用例２］上記適用例に記載の画像表示装置において、前記他の画像表示装置と通信を行う通信手段をさらに備え、前記異常検出手段は、前記通信手段により前記他の画像表示装置より異常発生通知を受け付けた場合に、前記他の画像表示装置に異常が発生したことを検出する、ことを特徴とする。
【００１０】
本適用例によれば、通信手段によって画像表示装置間で通信を行い他の画像表示装置より異常発生通知を受け取るので、どのような異常が発生したかを識別し、２画面表示モードにおいて異常内容を表示し、ユーザーに対処を促すことが可能となる。
【００１１】
［適用例３］上記適用例に記載の画像表示装置において、前記画像入力端子に画像信号が入力されているか否かを検出する信号検出手段をさらに備え、前記異常検出手段は、所定の画像入力端子に画像信号が入力された場合に、前記他の画像表示装置に異常が発生したことを検出する、ことを特徴とする。
【００１２】
本適用例によれば、他の画像表示装置に異常が発生した場合、他の画像表示装置が表示していた画像信号が所定の画像入力端子に入力されるようにしておくことにより、センサーや通信装置などを用いずに他の画像表示装置に異常が発生したことを検出することが可能となる。
【００１３】
［適用例４］上記適用例に記載の画像表示装置において、前記異常検出手段により、前記他の画像表示装置に異常が発生したことを検出した場合に報知する報知手段、をさらに備えたことを特徴とする。
【００１４】
本適用例によれば、報知手段により、他の画像表示装置に異常が発生したことを報知するので、他の画像表示装置に異常が発生したことをユーザーに報知することが可能となる。
【００１５】
［適用例５］上記適用例に記載の画像表示装置において、当該画像表示装置に異常が発生したことを検知する異常検知手段と、前記他の画像表示装置に当該画像表示装置の異常を検出させる手段をさらに備えたことを特徴とする。
【００１６】
本適用例によれば、他の画像表示装置に、当該画像表示装置の異常を検出させることができるため、例えば、２台の画像表示装置で異なる画像を表示するデモンストレーションを行っている場合、１台の画像表示装置に異常が発生して画像を表示できなくなったときに、もう１台の画像表示装置に異常の発生を検出させることができる。これによりスムーズなデモンストレーションの実施が可能となる。
【００１７】
［適用例６］上記適用例に記載の画像表示装置において、前記通信手段により前記他の画像表示装置に当該画像表示装置の異常を検出させることを特徴とする。
【００１８】
本適用例によれば、通信手段によって画像表示装置間で通信を行い他の画像表示装置に異常発生通知を送るので、どのような異常が発生したかを識別させ、２画面表示モードにおいて異常内容を表示させ、ユーザーに対処を促すことが可能となる。
【００１９】
［適用例７］上記適用例に記載の画像表示装置において、画像信号を出力する画像出力端子をさらに備え、前記画像出力端子から当該画像表示装置が表示すべき画像を示す画像信号を前記他の画像表示装置に出力することにより、前記他の画像表示装置に当該画像表示装置の異常を検出させることを特徴とする。
【００２０】
本適用例によれば、異常が発生した画像表示装置が表示していた画像信号を、センサーや通信装置などを用いずに異常が発生していない画像表示装置に表示させることが可能となる。
【００２１】
［適用例８］本適用例に係る画像表示装置の制御方法は、画像入力端子より入力される画像信号に基づく画像を表示する表示手段と、前記画像入力端子より入力される前記画像信号に基づいた画像のうち、一つの画像を前記表示手段に表示する１画面表示モードと、異なる二つの画像を、前記表示手段に配置された第１表示領域、及び第２表示領域にそれぞれ表示する２画面表示モードとのいずれかを設定するモード設定手段とを備えた画像表示装置の制御方法であって、他の画像表示装置に異常が発生したことを検出する異常検出ステップと、前記異常検出ステップにより前記他の画像表示装置に異常が発生したことを検出した場合に、前記モード設定手段により前記２画面表示モードに設定する制御ステップと、を有することを特徴とする。
【００２２】
本適用例によれば、異常検出ステップにより他の画像表示装置に異常が発生したことを検出した場合に、制御ステップにおいてモード設定手段により２画面表示モードに設定するため、例えば、２台の画像表示装置で異なる画像を表示するデモンストレーションを行っている場合、１台の画像表示装置に異常が発生して画像が表示できなくなったときにもう１台の画像表示装置により二つの画像を２画面表示モードで表示する。これによりデモンストレーションが中断してしまうのを防止することが可能となる。
【図面の簡単な説明】
【００２３】
【図１】プロジェクターが投写した画面を表す図であり、（ａ）は２台のプロジェクターがそれぞれ異なる画像を１画面表示モードで投写している状態を示し、（ｂ）は１台のプロジェクターに異常が発生し、もう１台のプロジェクターが二つの画像を２画面表示モードで投写している状態を示す。
【図２】第１実施形態におけるプロジェクターの接続状態を示す図。
【図３】第１実施形態におけるプロジェクターの回路構成を示すブロック図。
【図４】第１実施形態におけるプロジェクターの動作を示すフローチャート。
【図５】第２実施形態におけるプロジェクターの接続状態を示す図。
【図６】第２実施形態におけるプロジェクターの回路構成を示すブロック図。
【図７】第２実施形態におけるプロジェクターの動作を示すフローチャート。
【発明を実施するための形態】
【００２４】
以下、図面を参照して本発明の実施形態であるプロジェクターについて説明するが、以下の実施形態は特許請求の範囲にかかる発明を限定するものではなく、また、実施形態における特徴の組み合わせの全てが発明の解決手段に必須であるとは限らない。
【００２５】
（第１実施形態）
第１実施形態について図面を用いて説明する。
本実施形態においては、画像表示装置がプロジェクター１に相当し、複数台のプロジェクター１としてプロジェクターＰＪ１、プロジェクターＰＪ２を用いて説明する。
図１は本実施形態のプロジェクター１の投写した画面を示す図であり、（ａ）はプロジェクターＰＪ１と、他のプロジェクターＰＪ２が１画面表示モードで正常に画像を投写している状態を示し、（ｂ）は他のプロジェクターＰＪ２に異常が発生し、プロジェクターＰＪ１が２画面表示モードで投写している状態を示す。
図１（ａ）に示すように、プロジェクターＰＪ１の画像投写領域Ｇ１に画像Ｐ１、プロジェクターＰＪ２の画像投写領域Ｇ２に画像Ｐ２がそれぞれ１画面表示モードで投写されている。
図１（ｂ）に示すように、プロジェクターＰＪ１の画像投写領域Ｇ１内に２つのサブ画像投写領域Ｇ１Ａ，Ｇ１Ｂが生成され、第１表示領域としてのサブ画像投写領域Ｇ１Ａに画像Ｐ１、第２表示領域としてのサブ画像投写領域Ｇ１Ｂに画像Ｐ２が投写され２画面表示モードを実行している。画像投写領域Ｇ１の画像Ｐ１，Ｐ２が表示されない空白部分にはプロジェクターＰＪ２に異常が発生したことを示すメッセージＭ１が表示される。異常が発生したプロジェクターＰＪ２の画像投写領域Ｇ２には画像が投写されない。
【００２６】
図２は本実施形態のプロジェクターＰＪ１，ＰＪ２の接続状態を示す図であり、プロジェクターＰＪ１が、他のプロジェクターＰＪ２より異常発生通知を受け取る場合の接続を示す。
図２に示すようにプロジェクターＰＪ１の画像入力端子６１Ａ，６２Ａには映像機器Ｖ１（例えばＰＣ）、および映像機器Ｖ２（例えばＶｉｄｅｏ）より画像信号が、プロジェクターＰＪ２の画像入力端子６１Ｂ，６２Ｂには映像機器Ｖ１，Ｖ２より画像信号がそれぞれ入力される。またプロジェクターＰＪ１の通信端子８ＡとプロジェクターＰＪ２の通信端子８Ｂが接続されている状態で、プロジェクターＰＪ２に異常が発生した場合、異常発生通知がプロジェクターＰＪ２からプロジェクターＰＪ１へ送られるようになっている。同様にプロジェクターＰＪ１に異常が発生した場合もプロジェクターＰＪ２に異常発生通知が送られる。
【００２７】
図３は本実施形態のプロジェクター１の回路構成を示すブロック図である。
図３に示すように、プロジェクター１は、画像入力端子６、通信端子８、画像投写手段１０、信号検出手段１５、ＯＳＤ処理手段１６、画像信号処理手段１７、画像信号入力手段１８、制御手段２０、記憶手段２１、光源制御手段２２、入力操作手段２３、報知手段２５、異常検知手段２６、電源端子３０、電源部３１、通信手段４０等で構成されており、これらは図示しないプロジェクター１の筐体の内部または外面に収容されている。
【００２８】
画像投写手段１０は、光源１１、光変調装置としての３つの液晶ライトバルブ１２（１２Ｒ，１２Ｇ，１２Ｂ）、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによって表示手段としてのスクリーンＳＣ等に画像を表示する。
【００２９】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００３０】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００３１】
本実施形態では、光源１１として光源ランプ１１ａを用いて投写するプロジェクター１を例示したが、本発明は光源としてＬＥＤ（Light Emitting Diode）光源やレーザー光源などを用いて投写するプロジェクターにも適用することができる。
【００３２】
なお、本実施形態では、画像投写手段１０は、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００３３】
制御手段２０は、ＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。制御手段２０は、他のプロジェクターに異常が発生したことを検出する異常検出手段２０１と、１画面表示モードまたは２画面表示モードのいずれかを設定するモード設定手段２０２を備える。
【００３４】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
【００３５】
入力操作手段２３は、プロジェクター１が、ユーザーからの入力操作を受け付けるものであり、ユーザーがプロジェクター１に対して各種指示を行うための複数の操作キーを備え、プロジェクター１の本体筐体外面に備えられる本体キーで構成される。
入力操作手段２３が備える操作キーとしては、電源のオン・オフを交互に切り替えるための電源キーや、画像信号入力手段１８に画像信号を入力する複数の画像入力端子６を切り替えるための入力切替キー、各種設定を行うための設定メニューを重畳表示させるメニューキー、設定メニューからユーザーが設定項目を選択するカーソルキー、決定キー、エスケープキー、等がある。
【００３６】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段２０に伝達する。
【００３７】
画像信号入力手段１８は、複数の画像入力端子６（６１Ａ，６２Ａ，６１Ｂ，６２Ｂ）より、ビデオ再生装置やパーソナルコンピューター等、外部の画像出力装置から、図示しないケーブル、又は通信機器などを介して画像信号が入力される。入力された画像信号は、制御手段２０の指示に基づき、画像信号処理手段１７に出力される。
【００３８】
信号検出手段１５はそれぞれの画像入力端子６から画像信号入力手段１８への画像信号の入力があるか否かを検出して、その結果を制御手段２０に送る。
【００３９】
画像信号処理手段１７は、画像信号入力手段１８から入力される画像信号を、液晶ライトバルブ１２Ｒ，１２Ｇ，１２Ｂの各画素の階調を表す画像情報に変換する。ここで、変換された画像情報は、赤（Ｒ），緑（Ｇ），青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００４０】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００４１】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００４２】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００４３】
光源制御手段２２は、制御手段２０の指示に基づいて、光源１１に対する電力の供給と停止とを制御し、光源１１の点灯、及び消灯を切り替える。
【００４４】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４５】
報知手段２５は、ＬＥＤやブザーなどで構成され、他のプロジェクターに異常が発生したことを報知する。
【００４６】
異常検知手段２６は、各種センサーなどで構成され、プロジェクター１に異常が発生したことを検知し、制御手段２０に通知する。制御手段２０は通信手段４０により異常発生通知を他のプロジェクターに送信する。
【００４７】
通信手段４０は、他のプロジェクターと通信端子８（８Ａ，８Ｂ）を介して接続し、双方向で通信して他のプロジェクターに異常が発生した旨の通知を受け取り。また、プロジェクター１に異常が発生した旨の通知を他のプロジェクターに送信する。
【００４８】
次に、本実施形態のプロジェクターＰＪ１がプロジェクターＰＪ２の異常を検出した場合の動作を、図４のフローチャートを用いて説明する。
図４に示すように、プロジェクターＰＪ１が通信手段４０により他のプロジェクターＰＪ２の異常発生通知を受信すると（ステップＳ１０１）、ステップＳ１０３に遷移する。ステップＳ１０１が異常検出ステップに相当する。
【００４９】
ステップＳ１０３においてモード設定手段２０２は、２画面表示モードに設定し、ステップＳ１０４に遷移する。
【００５０】
ステップＳ１０４において制御手段２０は、プロジェクターＰＪ１が現在投写している画像Ｐ１と、異常が発生した他のプロジェクターＰＪ２が投写していた画像Ｐ２とを２画面で画像投写し（図１（ｂ）参照）ステップＳ１０５に遷移する。ステップＳ１０３、およびステップＳ１０４が制御ステップに相当する。
【００５１】
ステップＳ１０５において制御手段２０は、報知手段２５により他のプロジェクターＰＪ２に異常が発生したことを報知し、Ｓ１０６に遷移する。
【００５２】
ステップＳ１０６において本動作フローを終了する。
【００５３】
以上、説明したように、本実施形態のプロジェクター１によれば、プロジェクターＰＪ１と他のプロジェクターＰＪ２がそれぞれ異なる画像Ｐ１，Ｐ２を投写するデモンストレーションを行っている場合、プロジェクターＰＪ２に異常が発生して画像Ｐ２を投写できなくなったときに二つの画像Ｐ１，Ｐ２を２画面表示モードで投写する。これによりデモンストレーションが中断してしまうのを防止することが可能となる。
また、プロジェクターＰＪ２に異常が発生して画像Ｐ２を表示できなくなったときにもう１台のプロジェクターＰＪ１に異常の発生を検出させることができる。これによりスムーズなデモンストレーションの実施が可能となる。
また、通信手段４０によってプロジェクター間で通信を行いプロジェクターＰＪ２がプロジェクターＰＪ１に異常発生通知を送るので、プロジェクターＰＪ１にどのような異常が発生したかを識別させ、２画面表示モードにおいて異常内容を表示させ、ユーザーに対処を促すことが可能となる。
また、報知手段２５により、プロジェクターＰＪ２に異常が発生したことを報知するので、プロジェクターＰＪ２に異常が発生したことをユーザーに報知することが可能となる。
【００５４】
（第２実施形態）
第２実施形態について図面を用いて説明する。
図面において、第１実施形態と同じ構成部材には同一符号を付し、ここではそれらの説明を省略又は簡略化する。
また、本実施形態においては、画像表示装置がプロジェクター１’に相当し、複数台のプロジェクター１’としてプロジェクターＰＪ１’、プロジェクターＰＪ２’を用いて説明する。
本実施形態のプロジェクター１’の投写した画面は図１と同様である。
図５は本実施形態のプロジェクター１’の接続状態を示す図であり、他のプロジェクターＰＪ２’に異常が発生し、プロジェクターＰＪ２’の画像出力端子７から出力された画像がプロジェクターＰＪ１’の画像入力端子６に入力されることにより異常発生を通知する場合の接続を示す。
【００５５】
図５に示すようにプロジェクターＰＪ１’の画像入力端子６１Ａには映像機器Ｖ１（例えばＰＣ）より画像信号が、プロジェクターＰＪ２’の画像入力端子６２Ｂには映像機器Ｖ２（例えばＶｉｄｅｏ）より画像信号がそれぞれ入力される。
またプロジェクターＰＪ１’の画像出力端子７ＡとプロジェクターＰＪ２’の画像入力端子６１Ｂ、プロジェクターＰＪ２’の画像出力端子７ＢとプロジェクターＰＪ１’の画像入力端子６２Ａがそれぞれ接続されている。
プロジェクターＰＪ２’に異常が発生した場合、映像機器Ｖ２から入力される画像信号が画像出力端子７ＢからプロジェクターＰＪ１’の画像入力端子６２Ａに入力されるようになっている。同様にプロジェクターＰＪ１’に異常が発生した場合、映像機器Ｖ１から入力される画像信号が画像出力端子７ＡからプロジェクターＰＪ２’の画像入力端子６１Ｂに入力されるようになっている。
【００５６】
図６は本実施形態のプロジェクター１’の回路構成を示すブロック図である。
図６に示すように、プロジェクター１’は、通信手段４０や通信端子８を備えておらず、画像出力端子７を備えている。
画像出力端子７（７Ａ，７Ｂ）からは、制御手段２０の指示に基づき、画像信号入力手段１８から画像信号処理手段１７に出力される画像信号と同じ信号が画像信号入力手段１８から入力され、外部へ出力される。
【００５７】
本実施形態においては、異常検知手段２６がプロジェクター１’に異常が発生したことを検知した場合、制御手段２０は画像信号入力手段１８に指示して入力される画像信号を画像出力端子７より出力させる。画像出力端子７を他のプロジェクターの画像入力端子６に接続することにより、プロジェクター１’に異常が発生した場合に他のプロジェクターに同じ画像信号を入力することが可能となる。
【００５８】
次に、本実施形態のプロジェクターＰＪ１’がプロジェクターＰＪ２’の異常を検出した場合の動作を図７のフローチャートを用いて説明する。
図７に示すように、プロジェクターＰＪ１’が信号検出手段１５により所定の画像入力端子６に画像信号が入力されたことを検出すると（ステップＳ２０１）、ステップＳ２０３に遷移する。ステップＳ２０１が異常検出ステップに相当する。
【００５９】
ステップＳ２０３においてモード設定手段２０２は、２画面表示モードに設定し、ステップＳ２０４に遷移する。
【００６０】
ステップＳ２０４において制御手段２０は、プロジェクターＰＪ１’が現在投写している画像Ｐ１と、異常が発生した他のプロジェクターＰＪ２’が投写していた画像Ｐ２とを２画面で画像投写し（図１（ｂ）参照）ステップＳ２０５に遷移する。ステップＳ２０３、およびステップＳ２０４が制御ステップに相当する。
【００６１】
ステップＳ２０５において制御手段２０は、報知手段２５により他のプロジェクターに異常が発生したことを報知し、Ｓ２０６に遷移する。
【００６２】
ステップＳ２０６において本動作フローを終了する。
【００６３】
以上、説明したように、本実施形態のプロジェクター１’によれば、プロジェクターＰＪ１’と他のプロジェクターＰＪ２’がそれぞれ異なる画像Ｐ１，Ｐ２を投写するデモンストレーションを行っている場合、プロジェクターＰＪ２’に異常が発生して画像Ｐ２を投写できなくなったときに二つの画像Ｐ１，Ｐ２を２画面表示モードで投写する。これによりデモンストレーションが中断してしまうのを防止することが可能となる。
また、プロジェクターＰＪ２’に異常が発生した場合、プロジェクターＰＪ２’が投写していた画像の画像信号がプロジェクターＰＪ１’の所定の画像入力端子６に入力されるようにしておくことにより、センサーや通信装置などを用いずにプロジェクターＰＪ２’に異常が発生したことをプロジェクターＰＪ１’が検出することが可能となる。
また、報知手段２５により、プロジェクターＰＪ２’に異常が発生したことを報知するので、プロジェクターＰＪ２’に異常が発生したことをユーザーに報知することが可能となる。
なお、プロジェクター間の異常情報のやり取りは、第１実施形態のような通信手段によるものと、第２実施形態のような画像信号を用いたものと、両方の構成が備えられていてもよい。
【００６４】
また、上記実施形態は、以下のように変更してもよい。
（変形例１）
上記実施形態のプロジェクター１では他のプロジェクターが１台の場合を想定しているが、複数の他のプロジェクターと接続するようにしてもよい。例えば２台の他のプロジェクターを接続し、一台に異常が発生した場合は２画面表示モード、２台に異常が発生した場合は３画面表示モードで正常なプロジェクターが投写するようにしてもよい。
（変形例２）
上記実施形態のプロジェクター１では、通信手段を介した他のプロジェクターからの通知、または所定の画像入力端子６への画像信号の入力によって、他のプロジェクターの異常を検出していた。しかし、プロジェクター１が撮影装置を備え、他のプロジェクターが投写している画像を撮影し、その撮影画像を基に、他のプロジェクターの異常を検出するようにしてもよい。
【符号の説明】
【００６５】
１，１‘，ＰＪ１，ＰＪ２，ＰＪ１’，ＰＪ２’…プロジェクター、６，６１Ａ，６１Ｂ，６２Ａ，６２Ｂ…画像入力端子、７，７Ａ，７Ｂ…画像出力端子、８，８Ａ，８Ｂ…通信端子、１０…画像投写手段、１１…光源、１２Ｒ，１２Ｇ，１２Ｂ…液晶ライトバルブ、１３…投写レンズ、１４…液晶駆動手段、１５…信号検出手段、１６…ＯＳＤ処理手段、１７…画像信号処理手段、１８…画像信号入力手段、２０…制御手段、２１…記憶手段、２２…光源制御手段、２３…入力操作手段、２５…報知手段、２６…異常検知手段、３０…電源端子、３１…電源部、４０…通信手段、２０１…異常検出手段、２０２…モード設定手段。
【図１】
2014115363.tif 000003
【図２】
2014115363.tif 000004
【図３】
2014115363.tif 000005
【図４】
2014115363.tif 000006
【図５】
2014115363.tif 000007
【図６】
2014115363.tif 000008
【図７】
2014115363.tif 000009